(57)【要約】      （修正有）【課題】高齢者・身体障害者が、安心して利用が出来る、出入りの安易な、簡易シャワー室を提供する。【解決手段】上面が開口する直方体状の浴槽を有し、浴槽内の一方端側に腰掛３が設置され、浴槽の他方側の側壁に、上端から、床板６の上面に渡って開閉する片開き、且つ外開きのドアーが設置され、ドアーは、閉じた時に、浴槽内の湯水が漏れないようにパッキングを有する液密構造であり、浴槽は、腰掛に腰かけた使用者が、半身浴が出来る深さであり、浴槽の床板には、移動を可能にする車５が設置されている。【選択図】図１
0003200887.tif 000002
【実用新案登録請求の範囲】
【請求項１】
上面が開口する直方体状の浴槽を有し、この浴槽内の一方端側に腰掛が設置され、浴槽の他方側の側壁に、上端から、床板の上面に渡って開閉する片開き、且つ外開きのドアーが設置され、このドアーは、閉じた時に、浴槽内の湯水が漏れない液密構造であり、前記浴槽は、前記腰掛に腰かけた使用者が、半身浴が出来る深さであり、前記浴槽には、移動を可能にする車が床板に設置されている簡易シャワー室。
【請求項２】
前記ドアーは、その両側端面と下端面とに連続して設けられたパッキングを有しており、それにより、閉じた時に浴槽内の湯水が漏れない液密を実現する。請求項１に記載の簡易シャワー室。
【請求項３】
前記ドアーは、その上端面に設けられた手すりを有する、請求項１又は２に記載の簡易シヤワー室。
【請求項４】
前記車は、方向転換を可能にするキャスターを含んでいる。請求項１から３のいずれかに記載の簡易シャワー室。
【請求項５】
前記車は、回転を制止するストッパー機能付きの車を含んでいる。請求項１から４のいずれかに記載の簡易シャワー室。
【考案の詳細な説明】
【技術分野】
【０００１】本考案は、高齢者及び身体障害者が浴槽に出入りする事が出来ず困窮している人の為、浴室の洗い場に持ち込み、出入りが簡単でシャワー及び半身浴が可能な物。
【背景技術】
【０００２】従来、要介護者が洗い場の横でシャワーを浴びる時には、介護者の手助けが無ければ出来ず、手助けをする時介護者が水で濡れる為、防水用具等の着用が必要で困難な状況であった。高齢者及び身体障害者等の要介護者が単独でシャワー浴をするのに簡易シャワー室が有れば、プライバシーが維持出来、ゆっくりと腰湯を楽しみながらシャワー浴を満喫できる。
【先行技術文献】
【特許文献】
【０００３】
【特許文献１】  特開２０１３−２２３７１６
【考案の概要】
【考案が解決しようとする課題】
【０００５】健常者用の形及びデザインの商品ばかりで、高齢者・身体障害者がシャワー浴するのにスペース等の問題があり、介護者の援助を受けなければシャワー浴が困難だった。
本考案は、上記の入浴行動を容易にするため、シャワー室の形・デザインを変更する。
【課題を解決する為の手段】
【０００６】シャワー室は、独立して囲った形状でなく、浴室の洗い場に据え置くタイプのものである。出入り口は、蝶番でドアーのように開閉が出来，シャワー室内で腰かける椅子のような物を設置・シヤーワー椅子を置いたりして、座った状態で頭髪が洗えるようにする。又お湯を貯めて腰湯まで可能な形状にする。浴室の洗い場に持ち込み使用して使用後は、脱衣室に移動が可能な形状と重量にする。
【考案の効果】
【０００７】通常の浴槽に跨ぎの高さがバリヤーになって利用がしにくかった、高齢者・身体障害者にシャワー浴で、身体の清浄・腰湯で疲れを癒し自分ひとりで楽しむ事が可能になる。
簡易シャワー室に横手すりを付けて扉の開閉時・移動時に身体のバランスを維持出来る様にする事と、腰掛を設置する事により、安心して頭髪を洗う動作も一人で可能となり、一人での入浴が安全に楽しむ事が出来る。
【図面の簡単な説明】
【０００８】
【図１】  本件考案の簡易シャワー室概略斜視図
【図２】  シャワー室開閉の斜視図
【図３】  シャワー室腰掛の斜視図
【図４】  シャワー室の横手すり斜視図
【図５】  シャワー室底部のセフティー付戸車の斜視図
【図６】  シャワー室ドアー部分（ａ）の斜視図  シャワー室床板部分（ｂ）の縦断面図  シャワー室ドアー部分（ｃ）の横断面図  シヤワー室ドアー床板部分（ｄ）の横断面図
【図７】  シャワー室ドアーの横（ａ）・縦（ｂ）部分の断面図  シャワー室ドアーノブと止め金具（ｃ）の詳細図
【考案を実施する為の形態】
【０００９】図１に示す簡易シャワー室１は、ステンレス製の移動可能な簡易シャワー室１である。
内側及び外側は、ステンレス板で覆われている。
簡易シャワー室１の出入り口ドアー２は、図２に示すように、外開きで密閉処理が施されドアーノブ１１も密閉が出来る様に外側に取付、対する噛み合わせる止め金具１６もシヤワー室１の外側に取付ドアー２がシヤワー室１と密液状態が保持できる。
図３に示す腰掛３は、身体を安定させるのと、腰かけて頭髪を洗う折に自分ひとりで出来る状況を保持する為のものである。図４に示す横手すり４は、立ち上る折・シャワー室１への出入りの折に、安全に移動する為、出入り口のドアー２の上端に設置する。
図５は、簡易シャワー室１の移動が楽に出来る様に簡易シャワー室１の底面６に戸車５を４個取り付ける。重量が約８０ｋｇに耐えられるものとする。
図６のａは、ドアー２全体の斜視図で、簡易シヤワー室１との連結部の詳細である。
図６のｂは、ドアー２と簡易シヤワー室１の床板６の正面図でドアー２の下部に湯水漏れ防止のゴムパッキン１５が装着され、簡易シヤワー室１と液密構造状態になっている。
図６のｃは、ドアー２と簡易シヤワー室１の横に切った断面図で、簡易シヤワー室１との接合部分でドアーノブ１１と止め金具部分１６がシヤワー室１の表部に取付られている。
ドアーノブ１１もドアー２の表部分に取付られゴムパッキン１３がドアーの内側に装着され、簡易シヤワー室１と液密構造状態になっている。反対側の接合部は、蝶番１２でドアー２の開閉が外開きになる様に、簡易シヤワー室１と連結されており、ドアー２の内側には、ゴムパッキン１４が装着されて、簡易シヤワー室１の本体と液密構造状態になっており、ゴムパッキン１３．１５．１４はドアー２の端面沿って連結されている。
図７のａは、ドアー２による液密構造状態を表しており、簡易シヤワー室１にドアーノブ１１止め金具１６が簡易シャワー室１本体の外側面に取付られており、ゴムパッキン１３が簡易シャワー室１本体の側壁に液密状態を成している。ドアー２の反対側では、簡易シヤワー室１本体との連結部は、蝶番１２で固定され、内側にゴムパッキン１４が装着され、簡易シャワー室１の本体と液密構造状態になっている。
図７のｂは、ドアー２と簡易シャワー室１の床板６との接触部の縦断面図で、ゴムパッキン１５がドアー２の内側下部に装着されて、液密構造になっており、ドアー２の開口部には、ゴムパッキン１３が一面に装着されている。ゴムパッキン１３とゴムパッキン１５とゴムパッキン１４は連結されている。
図７のｃは、ドアーノブ１１とドアーの止め金具１６の詳細図である。これによってドアー２の開口部と簡易シャワー室１を密着させる事ができる。
【符号の説明】
【００１０】１    簡易シャワー室
２    出入り口
３    腰掛
４    手すり
５    セフティー付戸車
６    床板
１１  ドアーノブ
１２  蝶番
１３  ゴムパッキング（左側）
１４  ゴムパッキング（右側）
１５  ゴムパッキング（床面）
１６  ドアーの止め金具
【図１】
0003200887.tif 000003
【図２】
0003200887.tif 000004
【図３】
0003200887.tif 000005
【図４】
0003200887.tif 000006
【図５】
0003200887.tif 000007
【図６】
0003200887.tif 000008
【図７】
0003200887.tif 000009